(57)【要約】    【課題】給糸切換範囲における編針及び／又はシンカーの配列を改良することにより、確実な給糸切換を可能にする。    【解決手段】  給糸切換装置の給糸フィンガーが、給糸位置と非給糸位置に切り換わる際、回転シリンダー上の切換範囲において、新たに供給される糸が、針のフック内でシンカーのシンカートップ上のオールドループにより保持されるようにする。シリンダー針を挿入する少なくとも２本の針溝と挿入しない２本の針溝を繰り返して設定し、設定したシリンダー針（１５ａ）同士の間のシンカー溝に標準シンカー（１８ａ）を挿入し、それ以外のシンカー溝にはシンカートップが高いシンカー（１８ｂ）を挿入する。【選択図】図２
2008101301.tif 000002
【特許請求の範囲】
【請求項１】
少なくとも２本の編糸（２３）を切換する給糸切換装置（２２）を有する丸編機であって、
選択的に動かされる給糸切換装置（２２）の給糸フィンガー（２４）が、シリンダー針への給糸を行う給糸位置に移動する際に回転シリンダー（１３）上のシリンダー針（１５）と交差する点（Ａ）と、シリンダー針への給糸を中止する非給糸位置に移動する際に回転シリンダー（１３）上の編針（１５）と交差する点（Ｂ）までの間の回転シリンダー上の切換範囲（Ａ−Ｂ）において、
給糸切換装置（２２）の給糸フィンガー（２４）によって新たに供給される糸が、針のフック（２５）内でシンカー（１８）のシンカートップ（２６）上のオールドループ（ＯＬ）により保持される手段を設けたことを特徴とする給糸切換装置を有する丸編機。
【請求項２】
給糸切換装置（２２）の給糸フィンガー（２４）によって新たに供給される糸が、針のフック（２５）内でシンカーのシンカートップ（２６）上のオールドループ（ＯＬ）により保持される手段が、
前記切換範囲（Ａ−Ｂ）において、シリンダー針（１５）を挿入する少なくとも２本の針溝（１４ｂ）と、挿入しない少なくとも１本の針溝（１４ａ）を繰り返して設定し、設定したシリンダー針（１５）同士の間のシンカー溝に標準シンカー（１８ａ）を挿入し、それ以外のシンカー溝にはシンカートップが高いシンカー（１８ｂ）を挿入する配列である請求項１記載の丸編機。
【請求項３】
シリンダー針（１５）の配列が２本挿入し、２本挿入しない配列の繰り返しである請求項２記載の丸編機。
【請求項４】
使用する糸の種類、糸の太さ、編地の密度によって、新たに供給されたグラウンド糸が十分に保持されない場合は、シンカートップが高いシンカーの枚数を増加させ、新たに供給されたグラウンド糸が必要以上に保持されて糸切れが発生する場合は、シンカートップが高いシンカーの枚数を減少させる請求項２又は３記載の丸編機。
【請求項５】
標準シンカー（１８ａ）は、シンカートップ（２６）からフック（２５）先端部まで、１．６ｍｍ（±０．３ｍｍ）であり、シンカートップが高いシンカー（１８ｂ）は、シンカートップからフック先端部までは、１．０ｍｍ（±０．３ｍｍ）である請求項２又は３記載の丸編機。
【請求項６】
給糸切換装置（２２）の給糸フィンガー（２４）によって新たに供給される糸が、針のフック（２５）内でシンカーのシンカートップ（２６）上のオールドループ（ＯＬ）により保持される手段が、
前記切換範囲（Ａ−Ｂ）において、標準シンカー（１８ａ）をすべてのシンカー溝に挿入して、２本分の針溝（１４ｃ）を空けて、次の針溝に標準シリンダー針（１５ａ）を１本挿入し、その隣にニッティング・レングスの短いシリンダー針（１５ｂ）を１本挿入することを繰り返す配列とする請求項１記載の丸編機。
【請求項７】
標準シリンダー針（１５ａ）のニッティング・レングスをｚとすれば、ニッティング・レングスの短いシリンダー針（１５ｂ）のニッティング・レングスはｚ−０．５ｍｍ（±０．３ｍｍ）である請求項６記載の丸編機。
【請求項８】
切換部に使用する編針（６）が、次のフィーダ（Ｆ２）で全てニット位置（２ａ）まで上昇するように選針させるカム調整装置を設けた請求項１ないし７のいずれかに記載の丸編機。
【発明の詳細な説明】
【技術分野】
【０００１】
本発明は、切換柄の編成を可能とする給糸切換装置を有する丸編機に関する。
【背景技術】
【０００２】
シングルニット編機によるシングルメッシュ編成方法については、一般によく知られているように、１レピートがグラウンドフィーダとメッシュフィーダの２フィーダで構成され、グラウンドフィーダは細い糸（グラウンド糸）を使用して全ての針に給糸し、メッシュフィーダでは太い糸（メッシュ糸）を所望する柄に応じた針に給糸してグラウンド糸と共に２本の糸を同時に編み込んでいる。
【０００３】
従来技術の一例を表す図８に示すように、シリンダー針軌跡２において、シングルメッシュを編成するときは、第１フィーダＦ１でグラウンド糸８を全ての針６に給糸し、グラウンド糸８は次の第２フィーダＦ２でループを作る。第２フィーダＦ２のメッシュフィーダではシリンダー針６はニット選針２ａまたはウエルト選針２ｂされ、ニット選針された針はグラウンド糸とメッシュ糸の両方の糸で二重のループを作る。他方ウエルト選針された針はメッシュ糸の給糸を受けず、グラウンド糸のみのループを作り、メッシュ糸は編地裏をフロート状に横走りする。
【０００４】
この編成方法によって製造されたシングルメッシュ編地は、図９（編地の裏側）に示すように、グラウンド糸８とメッシュ糸１０から成り、両方の糸が編まれている部分はメッシュ糸が編地の表側に現れ、グラウンド糸のみが編まれている部分はメッシュ糸が編地の裏側をフロートして表目側には現れない。この部分はグラウンド糸のみが現れ、細いグラウンド糸で形成されたループによって穴明き調のメッシュ編地となる（下記特許文献１における従来技術参照）。
【特許文献１】特開２００１−３５５１５７
【発明の開示】
【発明が解決しようとする課題】
【０００５】
このメッシュ編地は、その編地表面に穴明き調の変化はあるものの、糸の切換がない、いわゆる無地編であった。そのために、少なくともグラウンドフィーダとメッシュフィーダのいずれか又は両方に給糸切換装置の設置し、メッシュ編にボーダー柄を付加した編地とすることが消費者から要望された。
【０００６】
しかしながら、前述した編成方法ではグラウンドフィーダに給糸切換装置を設置した場合に、グラウンドフィーダとメッシュフィーダの間で、シリンダー針のフック部がシンカートップより下に下降していないために、ループが形成されず直線状のグラウンド糸はシリンダー針のフック内で左右方向に移動自由に保持されていた。そのためにこのフィーダで糸の切換を行った際は、新たなグラウンド糸の供給を受けても、シリンダー針は十分にグラウンド糸を保持していないために、図１０の矢印方向に新たに供給されたグラウンド糸８ａが抜けて切換ミスを起こしていた。
【０００７】
ここで給糸切換装置とは、特開平１０−２３７７４７や特開２００５−４２２６０に記載されているような装置をいう。
【０００８】
このような給糸切換装置を装備した丸編機では、シリンダーの特定の部分で給糸切換装置によって新たな糸が針に供給され、今まで針に供給されていた糸が停止する切換範囲がある。その切換範囲によって編成された切換部１１では前記の少なくとも２本の糸が針に編み込まれていた（図１１参照）。その切換範囲では、本来の編地となるその他の部分１２と比べて針に負荷が掛かるので、針が損傷する恐れがある。そのために、シリンダー針を全てのシリンダーに挿入せずに、たとえば２本おきに挿入していた。
【０００９】
本発明はこれらの問題に鑑みて行われたものであり、切換範囲における編針及び／又はシンカーの配列を改良することにより、確実な給糸切換を可能にすることを目的とする。
【課題を解決するための手段】
【００１０】
本発明は、少なくとも２本の編糸を切換する給糸切換装置を有する丸編機において、
選択的に動かされる給糸切換装置の給糸フィンガーが、編針への給糸を行う給糸位置に移動する際に回転シリンダー上のシリンダー針と交差する点（Ａ）と、編針への給糸を中止する非給糸位置に移動する際に回転シリンダー上のシリンダー針と交差する点（Ｂ）までの間の回転シリンダー上の切換範囲で、
給糸切換装置の給糸フィンガーによって新たに供給される糸が、針のフック内でシンカーのシンカートップ上のオールドループにより保持される手段を設けたことを特徴とする。
【発明の効果】
【００１１】
本発明によれば、前記切換範囲において、給糸切換装置の給糸フィンガーによって新たに供給される糸が、針のフック内でシンカーのシンカートップ上のオールドループにより保持される手段を設けたので、前記供給糸が抜けることがなく、切換ミスが発生しなくった。
【００１２】
さらに後記する本発明の好ましい実施態様では、従来の丸編機を使用しつつ、編針及び／又はシンカーの配置を変更するだけで実施可能であり、特殊な付属装置を新設する必要がない。
【発明を実施するための最良の形態】
【００１３】
給糸切換装置の給糸フィンガーによって新たに供給される糸が、針のフック内でシンカーのシンカートップ上のオールドループにより保持されるようにする手段としては、例えば次の第１及び第２の手段がある。
【００１４】
第１の手段では、前記切換範囲において、シリンダー針を挿入する少なくとも２本の針溝と、挿入しない少なくとも１本の針溝を繰り返して設定し、設定したシリンダー針の間のシンカー溝に標準シンカーを挿入し、それ以外のシンカー溝にはシンカートップが高いシンカーを挿入する配列とする。
【００１５】
例えば、標準シンカーは、シンカートップからフック先端部まで、１．６ｍｍ（±０．３ｍｍ）であり、シンカートップが高いシンカーは、シンカートップからフック先端部までは、１．０ｍｍ（±０．３ｍｍ）とする。
【００１６】
シリンダー針の配列は、２：２（２本挿入し、２本挿入しない）が好ましいが、この他に、２：１（２本挿入し、１本挿入しない）、３：１（３本挿入し、１本挿入しない）などで実施することも可能である。
【００１７】
使用する糸の種類、糸の太さ、編地の密度などによって、新たに供給されたグラウンド糸が十分に保持されない場合は、シンカートップが高いシンカーの枚数を増加させ、グラウンド糸を十分に保持することが好ましい。また、新たに供給されたグラウンド糸が必要以上に保持されて糸切れが発生する場合は、シンカートップが高いシンカーの枚数を減少させ、グラウンド糸の保持を弱めることが好ましい。
【００１８】
第２の手段では、前記切換範囲において、標準シンカーをすべてのシンカー溝に挿入して、２本分の針溝を空けて、次の針溝に標準シリンダー針を１本挿入し、その隣にニッティング・レングスの短いシリンダー針を１本挿入することを繰り返す配列とする。
【００１９】
例えば、標準シリンダー針のニッティング・レングスをｚとすれば、ニッティング・レングスの短いシリンダー針のニッティング・レングスはｚ−０．５ｍｍ（±０．３ｍｍ）とする。
【００２０】
シンカーの製造コストの見地からは、比較的に安価なシンカートップの高いシンカーを使用する第１の手段が好ましい。
【００２１】
第１及び第２の手段において、好ましくは、切換部に使用する編針が、次のフィーダで全てニット位置まで上昇するようにカム調整装置を設けて選針させる。このカム調整により、オールドループＯＬが針フックから脱げない位置まで針を上昇させ、グランド糸の切れを防止することができるからである。
【００２２】
本発明における編針及び／又はシンカーの配列方法は、シングルメッシュ編成に限定されるものではなく、１レピートが少なくとも２フィーダで構成されている柄編において、オールドループをノックオーバーしないフィーダで糸の切換が行われる場合に適用可能である。
【実施例１】
【００２３】
以下、添付の図面に基づき、本発明の実施例を説明する。
【００２４】
（株）福原精機製作所製でモデル名がＶ−ＳＥＣ７ＢＹのシングルニット丸編機（３４インチ、２８ゲージ）を使用して本発明を実施した。使用した糸は、グラウンド糸がポリエステル５６ｄｔｅｘ、メッシュ糸が綿糸３０番手である。
【００２５】
図１はその編成部の要部を示した縦断面図であり、図において符号１３はシリンダーを示す。シリンダー１３の外周には、円形に並んだ軸線方向に延びる多数の針溝１４が形成されている。各針溝１４には垂直方向に滑動自在なシリンダー針１５が収容されている。
【００２６】
シリンダー１３と対向するカムホルダー１６にはシリンダー針１５を制御または作動させる少なくも１個の制御カム１７が設けられている。
【００２７】
編成時にシリンダー針１５と協働するシンカー１８は水平方向に配置されたシンカーダイアル１９において半径方向に摺動自在である。シンカー１８はシンカーキャップ２０に装着されているシンカーカム２１によって作動もしくは制御される。
【００２８】
前記シリンダー１３の下側部には、これと一体的に取り付けられた駆動ギヤー（図示せず）があり、通常、機械に配置されている駆動源から駆動されるときシリンダー１３と共に同速的に回転する。
【００２９】
シリンダー１３の内側上方には給糸切換装置２２が装備されている。給糸切換装置２２には、複数本の別々の糸条２３を案内する複数個の給糸フィンガー２４が配設されている。給糸フィンガー２４が最も外方（二点鎖線）へ動かされた後、内方へ後退させる２段階の動作が行われ、下部位置すなわち給糸位置（一点鎖線）と、上部位置すなわち非給糸位置（実線）との間を選択的に動き、糸条２３は針に供給される。
【００３０】
図２は、選択的に動かされる給糸切換装置の給糸フィンガーが、編針への給糸を行う給糸位置に移動する際に回転シリンダー上のシリンダー針と交差する点（Ａ）と、編針への給糸を中止する非給糸位置に移動する際に回転シリンダー上のシリンダー針と交差する点（Ｂ）までの間の回転シリンダー上の切換範囲を示す。なお、便宜上、図２にはオールドループは図示していない。
【００３１】
この図２に示すように、２本分の針溝１４ａを空けて、次の針溝１４ｂにシリンダー針１５を２本挿入した。そのシリンダー針１５ａ同士の間のシンカー溝には標準シンカー１８ａを挿入し、それ以外のシンカー溝にはシンカートップが高いシンカー１８ｂを挿入した。このシリンダー針１５ａとシンカー１８（ａ，ｂ）の配列を切換範囲内で繰り返した。
【００３２】
ここで使用する標準シンカー１８ａ（図３参照）は、図８のＺ地点でメッシュ編みが可能なように、針フック２５からオールドループＯＬが脱げない高さにシンカートップ２６が設定されている。糸の素材や太さ、編地の度目、巻取張力などにもよるが、通常はシンカートップ２６からフック先端部２５まで、１．６ｍｍ（±０．３ｍｍ）程度である。
【００３３】
シンカートップ２６が高いシンカー１８ｂは、図４に示すように、シンカートップ２６からフック先端部２５までは、１．０ｍｍ（±０．３ｍｍ）程度に設定されている。このシンカートップ２６が高いシンカー１８ｂでは、オールドループＯＬが針フック２５から脱げることがある。
【００３４】
オールドループＯＬが脱げると給糸されたグランド糸８が屈折し保持力が強まりすぎて、グランド糸８が切れて、編みキズが発生することがある。それを防止するには、Ｚ地点（図８）には上下方向に移動可能なカム調整手段（図示せず）を設けるのが好ましい。カム調節手段としては、例えば、特開2004-232128に記載のステッチ調整具を使用することができる。
【００３５】
このカム調整手段により、オールドループＯＬが針フック２５から脱げない位置まで針を上昇させ、グランド糸８の切れを防止することができる。すなわち、図５に示すように、グラウンド糸８とメッシュ糸１０からなる二重のオールドループＯＬで新たに供給されたグラウンド糸８を十分に保持する。なお、第2フィーダでウエルト位置２ｂへの選針であれば、細いグラウンド糸の一重のオールドループＯＬとなって、新たに供給されたグラウンド糸８は十分に保持できない場合がある。
【実施例２】
【００３６】
図６は、図２と同じく、回転シリンダー上の切換範囲を示しており、本発明の第２実施例である。なお、便宜上、図６にはオールドループは図示していない。
【００３７】
ここでは、切換範囲でのシリンダー針およびシンカーは、標準シンカー１８ａをすべてのシンカー溝に挿入し、２本分の針溝１４ｃを空けて、次の針溝１４ｄに標準シリンダー針１５ａを１本挿入し、その隣にニッティング・レングス（バットからフック先端までの距離）の短いシリンダー針１５ｂを１本挿入することを繰り返す配列とした。
【００３８】
標準シリンダー針１５ａのニッティング・レングスをｚとすれば、シリンダー針１５ｂのニッティング・レングスはｚ−０．５ｍｍであって、両者の長さの相違Ｙは、０．５ｍｍである。この実施例では、標準の針よりニッティング・レングスが短い針１５ｂは、図７に示すように、シンカートップ２６からフック先端部２５までは、１．０ｍｍ（±０．３ｍｍ）程度に設定されている。
【００３９】
実施例1では標準シンカーよりも高いシンカートップを有するシンカーにより、オールドループを押し上げてグラウンド糸を挟持していたのに対して、実施例2では、逆に標準針よりニッティング・レングスが短い針により、グラウンド糸を引き込んでオールドループで挟持しているということができる。
【００４０】
ニッティング・レングスが短い針１５ｂでは、オールドループＯＬが針フック２５から脱げることがある。オールドループＯＬが脱げると給糸されたグランド糸８が屈折し保持力が強まりすぎて、グランド糸８が切れて、編みキズが発生することがある。
【００４１】
それを防止するには、第１実施例と同様、Ｚ地点（図８）には上下方向に移動可能なカム調整手段（図示せず）を設けるのが好ましい。カム調節手段としては、例えば、特開2004-232128に記載のステッチ調整具を使用することができる。このカム調整手段により、オールドループＯＬが針フック２５から脱げない位置まで針を上昇させ、グランド糸８の切れを防止することができる。
【図面の簡単な説明】
【００４２】
【図１】本発明で使用する丸編機の編成部を示す断面図である。
【図２】選択的に動かされる給糸切換装置の給糸フィンガーが、編針への給糸を行う給糸位置に移動する際に回転シリンダー上のシリンダー針と交差する点（Ａ）と、編針への給糸を中止する非給糸位置に移動する際に回転シリンダー上のシリンダー針と交差する点（Ｂ）までの間の回転シリンダー上の切換範囲を示す本発明の第１実施例である。
【図３】図６のＺ地点における針・シンカーとループの関係を示す標準シンカー（１８ａ）の拡大図である。
【図４】図６のＺ地点における針・シンカーとループの関係を示すシンカートップが高いシンカー（１８ｂ）の拡大図である。
【図５】図４を二重のオールドループで示した超拡大図である。
【図６】回転シリンダー上の切換範囲を示しており、本発明の第２実施例である。
【図７】図６のＺ地点における針・シンカーとループの関係を示すニッティング・レングスが短い針（１５ｂ）の拡大図である。
【図８】従来のシングルメッシュ編地の編成過程の一部を展開して概略的に示したシリンダー針とシンカーの動作軌跡図である。
【図９】図６の編成方法によって製造されたシングルメッシュ編み刃の裏側拡大図である。
【図１０】図６の一部拡大図である。
【図１１】編地における切換部を示す斜視図である。
【符号の説明】
【００４３】
８       グラウンド糸
１０     メッシュ糸
１１     切換部
１３     シリンダー
１４     針溝
１４ａ  針溝
１４ｂ   針溝
１４ｃ  針溝
１４ｄ   針溝
１５     シリンダー針
１５ａ   標準シリンダー針
１５ｂ   ニッティング・レングスが短いシリンダー針
１８     シンカー
１８ａ   標準シンカー
１８ｂ  シンカートップが高いシンカー
２２     給糸切換装置
２３     糸条
２４     給糸フィンガー
２５     針フック
２６     シンカートップ
【図１】
2008101301.tif 000003
【図２】
2008101301.tif 000004
【図３】
2008101301.tif 000005
【図４】
2008101301.tif 000006
【図５】
2008101301.tif 000007
【図６】
2008101301.tif 000008
【図７】
2008101301.tif 000009
【図８】
2008101301.tif 000010
【図９】
2008101301.tif 000011
【図１０】
2008101301.tif 000012
【図１１】
2008101301.tif 000013